(57)【要約】【課題】  従来のカレンダーは、月々の暦日数字列から広告物が離れて、読者に切取排除され易い状態にあり、カットを阻止する手段を要した。又、月表の上下余白のみでは広告掲載スペースに狭いので連合媒体の容量確保とスペース拡大を図る手段が求められた。又、読者が見たくない広告でも、１年間保存させれる広告用具の製造手段が課題である。  連合広告物の製造工程の省力化で、広告番号等が離脱しないで表示固定できる表札の形成及び広告の種類容量や読者と広告主の拡大及び出版とネットの融通自在が課題にある。【解決手段】暦日数字枠と広告枠で、名刺枠とその半分サイズ枠の計２種類を備え、この半分サイズ枠を６段７列枠の全４２枠に配列、前後の空枠を広告用に捕らえ、最下段枠を拡大し、紙面裏にも広告枠を配列し、別紙の広告用具も多重製本し、広告工程をスムーズにする広告表札を形成し、出版とネットに融通自在の広告媒体フォーマットを提供する。【選択図】図１
2008068610.tif 000002
【特許請求の範囲】
【請求項１】
カレンダーの月表を広告媒体にするための暦日数字用枠と広告掲載用枠を具備する枠組形成に、名刺サイズ枠を基調とする枠及び、その半分サイズ枠の２種類を備え、半分サイズ枠を用いて横７枠と縦に６枠の全４２枠配列で、目的のサイズのカレンダー印刷用紙に整合するように縮小又は、拡大した上で配設し、その６段７列枠を暦日数字用に定めて月々の月表毎に該当する日数字を枠内に配列し、その日数字列の前後に余って生じる空枠を広告掲載用スペースに捕らえ、最上段に生じた数字の無い空枠を広告用に用途変更しての差し替える名刺サイズ枠も同じく拡大縮小配設し、最下段の枠列の月末日以後に日数字が入らない空枠を大きな広告スペースで確保するために上記の２種類の枠を印刷用紙サイズが許す範囲迄に拡大した広告用フレームを設け、暦の日数字列内で日数字と広告物が連立一体化した広告入りカレンダーを特徴とする広告用具の広告入れカレンダーの製造方法。
【請求項２】
吊下げカレンダーの１２枚の月表の表紙に広告掲載し、この月表の裏面に大小のフレームからなる複数の広告掲載用枠を縦横に配設し、この枠内に広告物を入れて印刷し、リングで綴じ込み製本した。カレンダーの月表を広告用具にした請求項１記載の広告入れカレンダーの裏面にも枠組を形成した広告掲載を特徴とする広告入りカレンダーの製造方法。
【請求項３】
月々のカレンダー月表紙をリングで綴じてハンガーで吊り下げる広告入りカレンダー製造の製本工程で、カレンダーの月表毎の紙面と紙面との間に別紙のカタログ・ちらし類並びに、書類等の入る広告付き書類袋を別途に備え設けた、広告入りカレンダーである請求項１又は２記載の広告用具の複合体の形成を特徴とする広告入りカレンダーの製造方法。
【請求項４】
従来の吊下げカレンダーの紙面裏に、広告用具である請求項２記載の広告入れカレンダーの紙面裏の枠組を設けて広告掲載し、書類や物品等を入れられる広告付き書類袋も本体に併合させ、更に別紙のちらし類を挿み綴じて製本した広告入りカレンダーの製造方法。
【請求項５】
多数の広告物とその広告枠で構成される連合広告の広告番号と版枠番号と広告主を手際よく取扱うための数種目の番号を記入表示固定する表札の形成で、各々の広告物の囲い用枠自体の一辺を太らせた中に表札を備え、広告枠のフレーム内に内蔵するナンバリング用タグを設けた、広告入れカレンダーである請求項１、２、３、又は、４記載の表示用タグ内蔵の広告入りカレンダーの製造を特徴とする表札付き広告用具の広告入れカレンダー。
【請求項６】
カレンダーの日数字を媒質にし、その全３６５枠を広告媒体に捕らえ、その広告用スペースを紙からインターネットに誘導させるアドレス表示のｗｅｂ２、０サイトを備え、企業商店の開店開業日や発売日等のスケジュールを書込みできる３６５日掲示板をネット上に設けた、出版とネットの融通で媒体を補完し相乗効果を得る広告入りカレンダーである請求項１記載の広告用具フォーマットのネット掲示板を特徴とする広告入れカレンダー。
【請求項７】
家庭用プリンターでマイカレンダーを作る文具のプリンター用紙に、連合広告用具である請求項６記載の広告入れカレンダーのフォーマット上で暦日数字を印刷し、日数字列の前後の余白の部位及び裏面に枠や額縁を設けて、写真や広告を刷り込みできる文具のカレンダー刷込用紙を形成した、１２枚組のアルバム用紙を特徴とする広告入れカレンダー。
【発明の詳細な説明】
【技術分野】
【０００１】  本発明は、吊下げカレンダーを広告付き及び広告入りカレンダーにする連合広告用具の広告入れカレンダーの製造に関する。
【背景技術】
【０００２】  従来の広告付き又は名入れカレンダーは、暦日数字列上に広告物を連立せずに紙面上の数字とは一体性のない余白部分に不規則な割付で、汎用の広告用具には形成しなかった。【０００３】  また、カレンダーの月々の日数字を記入する枠組の配列は、随意サイズ枠でタテ５枠列とヨコ７枠列の範囲内に収めており、稀にタテ６枠を要する暦月の日数字をも５段枠内に連記する割付で収めた。また、日数字スペースと広告掲載スペースの２つの領域に分離され、カレンダー紙面の上下部分に余白の確保を図る手段で広告スペースを形成していた。即ち、縦６段の最上段枠と下２段枠及び最下段枠の空枠を拡大で供する広告用具は無い。【０００４】  従来の吊下げカレンダーの広告掲載は、カレンダーの正面に見えない部位の紙面裏をも連合広告媒体にしょうとの創意工夫がなされず、実施する広告業者や広告主もなかった。即ち、カレンダーの月表を表裏一体の広告用具にして広告主を集めた連合広告は、無い。【０００５】  また、従来の吊下げカレンダー製本では、月々の紙面と紙面との隙間に別紙のパンフやちらし等を挿み、リングで綴じて複合製本する、ちらし付きカレンダーの製造は、無い。【０００６】  さらに、カレンダー本体に書類袋を綴じ込む体裁の封筒付きカレンダーも存在しない。【０００７】  また、連合広告を構成する多数の広告枠と広告物と広告主を表示する番号付与手段は、広告物や広告枠の内外の適当な余白部分に番号を付す等、広告物と一体性を持てない、連用するにも共通性や汎用性を持たない、場あたり的に表示するナンバリング手法である。【０００８】  また、従来のカレンダーの年３６５日枠の商業用途では、カレンダー本体のメモ用にも狭いスペースに見る人数も限られ、企業や商店が一般に広く知らせたい年間スケジュール等の情報案内広告を、インターネット上に広告媒体移動させる手段が講じられなかった。即ち、カレンダーの日数字を基軸にした出版媒体とネット媒体は、融通自在しなかった。【０００９】  従来の家庭用プリンターでオリジナルカレンダーを作成する文具の刷込用紙は、写真の掲載スペースをカレンダー日数字５段列の上下の余白部分に確保したが、６段の数字列の前後や月表の紙面裏スペースをもアルバム又は広告用具にする構造の文具ではなかった。
よって、数冊の吊下げカレンダーを作るには、機器やソフトの他に技能や手間も要するため、汎用の連合広告媒体フォーマット及び半製品のプリント刷込用紙が必要であった。
【発明の開示】
【発明が解決しょうとする課題】
【００１０】  従来の名入れカレンダーや広告付きカレンダーは、月々の暦日数字列から広告物が分離しており、カレンダー読者に広告部分を切り取り排除されやすい状態に置かれていた。
よって、これらの広告物がカットされないよう、阻止する手段を講じなければならない。
【００１１】  また、従来のカレンダーの暦日数字の上下の余白では、広告掲載スペースに狭すぎる。
【００１２】  さらに、吊下げカレンダーの紙面の上下に形成する狭い余白部分に、複数の広告物や広告主を連合するには無理があり、カレンダーを連合広告媒体にする容量を確保できない。
【００１３】  かりに、多数の広告物と広告主で構成される連合広告をカレンダーの表紙面に掲載できても、溢れ出る広告物をカレンダーの裏面に掲載させる、その説得力や手法も無かった。
即ち、裏面には、汎用の意匠と広告カテゴリー及び手引書を具備する広告用具が必要。よって、カレンダー全体を汎用規格枠組で裏表一体型の広告用具に製造する課題がある。
【００１４】  また、カレンダー上の見たくもない広告を、読者に３６５日間保存させて、必要な時に利用してもらえるように製造しようとする、その広告用具の広告入れカレンダー形成で、従来のカレンダーは、読者・広告主・製作者に支持される情報媒体の態を成さなかった。
【００１５】  さらに、より多くの読者の支持と広告主の募集を獲得する課題で、各月表の規定のサイズやカテゴリー以外に、別紙の広告を取込んでリング製本させる、内容物が課題である。
【００１６】  また、連合広告製造の多数の原稿募集・編集割付・印刷出版・管理運用する工程では、広告枠と広告物と広告主を、手際よく分別・確認・取扱いするための番号が必要がある。
そのナンバリング手法は、読者・広告主・製造者及び管理者において有益かつ共通性と汎用性を伴う番号表示手法で、広告物から離脱しないよう、表札に形成する課題がある。
【００１７】  この番号付け技術は、広告媒体・広告物・広告主・作成者・管理者・作成日や有効期限等を記録・検証できるよう、ナンバリング手段とその表札形成にも汎用性が求められる。
【００１８】  さらに、多数の広告主と読者を募集案内する課題に、カレンダーの日数字を媒質にした全３６５枠の紙面スペースをも広告媒体に捕らえ、彼らをネット上のサイトに媒体移動させ、情報の数量・速度・内容の充実を図る、媒体融通する広告用具を設ける必要がある。
【００１９】  なお、吊下げカレンダーに写真や広告を入れたマイカレンダーを僅かに製本する場合、面倒くさくて多大な費用と手間や技能を要する。ついては、家庭用プリンターで家族や商店用の少量カレンダーを印刷・製本する文具に、刷り込み用紙を形成した広告入れカレンダーのフォーマット及び、実際にプリントできる刷込用の印刷用紙を供する課題がある。
【課題を解決するための手段】
【００２０】  カレンダーの暦日数字用枠と広告掲載用枠の形成に、名刺サイズ枠を基調とする枠及び、その半分サイズ枠の計２種類を備え、この半分サイズ枠を横７枠と縦に６枠の全４２枠で配列し、これを目的サイズのカレンダー印刷用紙上に整合するよう縮小又は、拡大で配設し、当該６段７列枠を暦日数字用枠と定め、該当する月表の日数字を枠内に記入する。
【００２１】  この６段７列枠内の日数字列の前後に生じる空枠を、広告掲載用スペースに捕らえる。
【００２２】  その上段の空枠が複数に列ねる月表は、半分枠を名刺サイズ枠に取替えて広告枠の拡大を図り、下段部分の枠の月末日以後に日数字が入らない空枠をも広告用に用途変更する。
但し、最下段の空枠は、印刷用紙サイズが許す範囲迄に枠を拡大し、広告用スペースの大型化を図る。ここに日数字と広告物が連立一体化する広告入りカレンダーを形成する。
【００２３】  さらに、前記又は随意の型枠のフレームを用いて、前記又は従来の広告入りカレンダーの各々の月表の紙面裏に縦横に配列し、連合広告用具の広告入れカレンダーを形成する。
【００２４】  広告入れカレンダーの表と裏面に広告を掲載して、リングで綴じてハンガーで吊るす広告入りカレンダー紙を備えて製本する工程で、吊下げカレンダーの月表毎に生じる紙面と紙面との隙間に、別紙のカタログ・ちらしを加え綴じて、複合体の体裁に多重製本する。
【００２５】  また、書類や物品等を入れるための広告付き書類袋を備え、上記のカレンダー本体に併合して綴じ込み製本する、書類袋を加え設けた封筒付き吊下げカレンダーの体裁にする。
【００２６】  ついては、図１〜図７の広告用フレーム内の１及び２に示すように、多数の広告物と枠で構成される連合広告の広告枠と広告物と広告主を、容易に表示・取扱いできる番号付けの表札を形成する。即ち、個々の広告物の囲い用枠の中の表札で番号表示する、広告枠のフレームに内蔵するナンバリング用タグを形成し、その表札の左右の部位に番号を付す。
【００２７】  広告スペースと読者の拡張を図り、上記のカレンダーの日数字を媒質に、年３６５枠を広告媒体に捕らえ、その数字枠スペースを紙面からインターネット上に誘導・移動させるアドレス３を紙面掲載し、そのサイトをブログ形式に誰でも読めて、書き込みも可能にすするｗｅｂ２、０サイトを備え設ける。ついては、出版とネットの融通自在で媒体特性を補完し、相乗効果も得れる、広告入れカレンダーのフォーマットをネット上に掲示する。
【００２８】  家庭用プリンターでマイカレンダーを作る文具のプリンター用紙で、広告入れカレンダーである請求項１の広告媒体フォーマット上に月表毎の暦日数字を印刷した吊下げ穴付の１２枚組刷込用紙を供し、余白の空枠及び裏紙面に家庭用プリンターとパソコンで写真や広告を刷り込みする用紙とＰＣソフトを備え設ける手段で、数冊の面倒なオリジナルカレンダー作り又は少量の広告入りカレンダー製造の手間と技能とコストを省くようにする。
【発明の効果】
【００２９】  本発明の広告入れカレンダーは、６段７列の枠組の暦日数字列で生じる空枠を広告用に供すると、最上列枠並びに下５列枠及び６列枠の空枠を広告スペースに確保できるので、広告と日数字が連立調和するだけでなく、１２枚の月表で稀に生じる下６列枠の日数字が、広告部分を切り捨てようとする読者の行為を阻止する役割を持つ、有用な数字となる。また、下６列枠の広告用枠をカレンダー用紙の印刷範囲が許す迄に拡大することで、広告の効果と収益を高める。さらに、カレンダーの裏面の広告枠組形成が、表紙を補完する。また、吊下げの広告入りカレンダーに別紙の広告物や封筒を加えると媒体効果が高まる。
さらに、連合広告製造工程で、個々の広告枠と表札で広告物に付す版枠番号と広告番号を工業規格枠のフレーム内に一元化すると、取扱いの速度や正確を飛躍的に強化させる。
【００３０】  さらに、広告入れカレンダーの暦日数字を囲む全３６５枠の狭小スペースをネット上にスライドすると、爆発的な容量拡大と速度で、読者と広告主の読み書きが自由自在になる。この広告媒体フォーマットが原稿受渡やＤＴＰを可能にし、マイカレンダー作成を助ける。
【発明の実施するための最良の形態】
【００３１】  連合広告の枠組形成は、規格名刺の基調が望ましく、制作や割付変更が容易な汎用枠でカレンダーの日数字を６段枠に配列し、余った空枠を広告用に転用及び、拡張する手段に最下段の空枠を印刷限界迄に拡大し、紙面裏にも広告枠を配設して全体容量を増強する。これに、別途のパンフや封筒を保存用リングで綴じて、広告主と読者を増やし維持する。広告物に広告番号及び版枠番号を付す表札は、広告枠のフレーム自体に内蔵固定させる。さらに、この媒体フォーマットの全３６５枠をネット上のｗｅｂ２、０サイトに設ける。ついては、誰でも作れるマイカレンダーのフォーマット及び刷込用紙の文具を提供する。
【実施例】
【００３２】  図３の規格名刺枠のその半分サイズ枠図４を、吊下げカレンダー製造用紙上に６段７列の全４２枠で配設する。但し、９１×５５ミリの実寸名刺はＢ３サイズ紙上に美しく実現するが、用紙サイズに沿って拡大縮小すればよい。この枠組形成では、フレーム自体をナンバリングの表札の具にするために枠の一辺を太らせて内蔵するタグを設け、両端に版枠番号１及び広告番号２を設ける。さらに、日数字列の前後の空枠の用途変更では最下段の空枠を用紙の印刷限界迄に拡大活用し、日数字のある全３６５枠の用途変更ではｗｅｂサイト３を設け、ネット上に媒体移動させてスペースとカテゴリーの拡充を図る広告用具の広告入れカレンダー図１を形成する。さらに広告スペースの拡張を図って紙面裏をも基調枠で広告用具の図２を形成する。また、さらなる広告主と読者の増大を図って別紙のちらし図５や封筒図６を組み合わせ、切取り難い保存機能を持つリングで綴じ込み製本する。
また、写真や広告原稿を取込んだ広告入りカレンダーを製造する工程で、プレゼン用具や数冊のマイカレンダー作成をプリントする場合に用いる文具である図７を目録にして、図１の枠組の１２枚の月表の刷込用紙を提供する。よって、連合広告の汎用枠組と番号とそのフォーット形成で、広告主・広告物・製作者をあらゆる媒体上で共通一元化する。
【図面の簡単な説明】
【００３３】
【図１】  本発明の実施形態を示す広告入りカレンダーの広告用具の表面図
【図２】  同広告用具の裏面図
【図３】  同広告用具の枠組形成の基調枠の表面図
【図４】  同広告用具の図３の半分サイズ枠の表面図
【図５】  同広告用具の別紙の表面図
【図６】  同広告用具の封筒の表面図
【図７】  同広告用具の文具の表面図
【符号の説明】
【００３４】    １  ナンバリング用タグに付された版枠番号
２  ナンバリング用タグに付された広告番号
３  書込みｗｅｂ２、０サイト
【図１】
2008068610.tif 000003
【図２】
2008068610.tif 000004
【図３】
2008068610.tif 000005
【図４】
2008068610.tif 000006
【図５】
2008068610.tif 000007
【図６】
2008068610.tif 000008
【図７】
2008068610.tif 000009